(57)【要約】【課題】マンホールを含む道路の新設舗装工事や、打換舗装工事や、切削オーバーレイ舗装工事のような仮蓋を使用する舗装工事において、舗装層に埋入された仮蓋を撤去する撤去工程を実施するための方法及び装置を提供する。【解決手段】マンホールを含む道路の新設舗装工事、打換舗装工事、切削オーバーレイ舗装工事において、前記仮蓋設置工程は、前記舗装工程又は仮舗装工程で形成される舗装又は仮舗装の表面近傍に至る高さを有する柱状体(24)を仮蓋(23)の中心支持孔(23a)の上に立設する通孔準備工程を含み、前記通孔形成工程は、前記舗装工程又は仮舗装工程により前記舗装層に埋入された状態の柱状体(24)を舗装表面から崩壊又は引抜くことにより通孔(26)を形成するように構成されている。【選択図】図４
2016003484.tif 000002
【特許請求の範囲】
【請求項１】
路面に設置されたマンホールの開口を中心支持孔付きの仮蓋(23)により閉塞する仮蓋設置工程と、
前記仮蓋の上方を含んで路面を舗装する舗装工程と、
舗装表面から前記仮蓋上の舗装層に前記中心支持孔(23a)に至る通孔(26)を形成する通孔形成工程と、
舗装表面から切断機でマンホール周囲の前記舗装層を円形に切断する切断工程と、
少なくとも前記通孔(26)を介して前記中心支持孔(23a)にリフト装置(27)を連結することにより、前記切断された切断舗装部と仮蓋(23)を撤去する撤去工程と、
蓋受枠を舗装表面と合致するようにマンホールに設置する蓋受枠設置工程と、
前記蓋受枠の周囲に舗装補修材を充填して周囲の舗装と一体化する充填工程とから成る新設舗装工事において、
前記仮蓋設置工程は、前記舗装工程で形成される舗装の表面近傍に至る高さを有する柱状体(24)を前記仮蓋(23)の中心支持孔(23a)の上に立設する通孔準備工程を含み、
前記通孔形成工程は、前記舗装工程により前記舗装層に埋入された状態の柱状体(24)を舗装表面から崩壊又は引抜くことにより通孔(26)を形成することを特徴とするマンホールを含む舗装工事における仮蓋の撤去方法。
【請求項２】
道路に設置された既存のマンホールの蓋受枠と舗装を除去する既存物除去工程と、
マンホールの開口を中心支持孔付きの仮蓋(23)により閉塞する仮蓋設置工程と、
前記仮蓋の上方を含んで路面を舗装する舗装工程と、
舗装表面から前記仮蓋上の舗装層に前記中心支持孔(23a)に至る通孔(26)を形成する通孔形成工程と、
舗装表面から切断機でマンホール周囲の前記舗装層を円形に切断する切断工程と、
少なくとも前記通孔(26)を介して前記中心支持孔(23a)にリフト装置(27)を連結することにより、前記切断された切断舗装部と仮蓋(23)を撤去する撤去工程と、
蓋受枠を舗装表面と合致するようにマンホールに設置する蓋受枠設置工程と、
前記蓋受枠の周囲に舗装補修材を充填して周囲の舗装と一体化する充填工程とから成る打換舗装工事において、
前記仮蓋設置工程は、前記舗装工程で形成される舗装の表面近傍に至る高さを有する柱状体(24)を前記仮蓋(23)の中心支持孔(23a)の上に立設する通孔準備工程を含み、
前記通孔形成工程は、前記舗装工程により舗装層に埋入された状態の柱状体(24)を舗装表面から崩壊又は引抜くことにより通孔を形成することを特徴とするマンホールを含む舗装工事における仮蓋の撤去方法。
【請求項３】
道路に設置された既存のマンホールの周囲の舗装を切断して蓋受枠を除去する既存物除去工程と、
マンホールの開口を中心支持孔付きの仮蓋(23)により閉塞する仮蓋設置工程と、
前記仮蓋の上方を仮舗装して既存の舗装と同一レベルにする仮舗装工程と、
切削機で既存の舗装の表層と前記仮舗装の表面を切削する切削工程と、
前記切削面の上にオーバーレイを舗装するオーバーレイ工程と、
舗装表面から前記仮蓋上の舗装層に前記中心支持孔(23a)に至る通孔(26)を形成する通孔形成工程と、
舗装表面から切断機でマンホール周囲の前記舗装層を円形に切断する切断工程と、
少なくとも前記通孔(26)を介して前記中心支持孔(23a)にリフト装置(27)を連結することにより、前記切断された切断舗装部と仮蓋(23)を撤去する撤去工程と、
蓋受枠を舗装表面と合致するようにマンホールに設置する蓋受枠設置工程と、
前記蓋受枠の周囲に舗装補修材を充填して周囲の舗装と一体化する充填工程とから成る切削オーバーレイ舗装工事において、
前記仮蓋設置工程は、前記仮舗装工程で形成される仮舗装の表面近傍に至る高さを有する柱状体(24)を前記仮蓋(23)の中心支持孔(23a)の上に立設する通孔準備工程を含み、
前記通孔形成工程は、前記仮舗装工程及びオーバーレイ工程により舗装層に埋入された状態の柱状体(24)を舗装表面から崩壊又は引抜くことにより通孔を形成することを特徴とするマンホールを含む舗装工事における仮蓋の撤去方法。
【請求項４】
請求項３に記載の切削オーバーレイ舗装工事において、
前記柱状体(24)は、前記切削機で切削可能な素材により形成され、前記仮蓋(23)に立設したとき、該柱状体(24)の上端を前記仮舗装工程で形成される仮舗装(35)の表面から深さ(D)だけ離間させた状態で設置されることを特徴とするマンホールを含む舗装工事における仮蓋の撤去方法。
【請求項５】
請求項１、２、３又は４に記載の舗装工事における仮蓋の撤去方法に使用される装置であり、
前記柱状体(24)は、仮蓋(23)の上に中心支持孔(23a)を囲んで立設される耐熱保形性及び耐圧保形性を有する筒体(37)と、該筒体に充填される崩壊自在な充填材(38)から成り、
前記通孔形成工程において、舗装表面を崩壊することにより前記筒体(37)の上端を露出させると共に、該筒体の上端開口から前記充填材(38)を掻き取ることにより、該筒体(37)の内部空間を介して前記通孔(26)を形成するように構成されて成ることを特徴とするマンホールを含む舗装工事における仮蓋の撤去装置。
【請求項６】
前記筒体(37)は、紙管(37a)により構成され、前記充填材(38)は、発泡樹脂(38a)により構成されて成ることを特徴とする請求項５に記載のマンホールを含む舗装工事における仮蓋の撤去装置。
【請求項７】
請求項１、２、３又は４に記載の舗装工事における仮蓋の撤去方法に使用される装置であり、
前記柱状体(24)は、仮蓋(23)の上に中心支持孔(23a)を囲んで立設される耐熱保形性及び耐圧保形性を有する筒体(37)と、該筒体の上部開口を閉塞する除去自在なキャップ部材(40)から成り、
前記通孔形成工程において、舗装表面を崩壊することにより前記キャップ(40)を露出させると共に、該キャップ(40)を除去することにより、該筒体(37)の内部空間を介して前記通孔(26)を形成するように構成されて成ることを特徴とするマンホールを含む舗装工事における仮蓋の撤去装置。
【請求項８】
請求項１、２、３又は４に記載の舗装工事における仮蓋の撤去方法に使用される装置であり、
前記柱状体(24)は、耐熱保形性及び耐圧保形性を有する円柱部材(41)から成り、
前記通孔形成工程において、舗装表面を崩壊することにより前記円柱部材(41)の上端部を露出させると共に、該円柱部材(41)を引抜くことにより前記通孔(26)を形成するように構成されて成ることを特徴とするマンホールを含む舗装工事における仮蓋の撤去装置。
【発明の詳細な説明】
【技術分野】
【０００１】
本発明は、マンホールを含む道路の新設舗装工事や、打換舗装工事や、切削オーバーレイ舗装工事のような仮蓋を使用する舗装工事において、舗装層に埋入された仮蓋を撤去する撤去工程を実施するための方法及び装置に関する。
【背景技術】
【０００２】
マンホールを含む道路の舗装工事に関して、本出願人は、「後付工法」（商標登録第４２１７６９８号）を提案し、好評を博している。
【０００３】
本出願人の「後付工法」によれば、新設舗装工事の場合、路面に設置されたマンホールの開口を中心支持孔付きの仮蓋により閉塞する仮蓋設置工程と、前記仮蓋の上方を含んで路面を舗装する舗装工程と、舗装表面から前記仮蓋上の舗装層に前記中心支持孔に至る通孔を形成する通孔形成工程と、舗装表面から切断機でマンホール周囲の前記舗装層を円形に切断する切断工程と、少なくとも前記通孔を介して前記中心支持孔にリフト装置を連結することにより、前記切断された切断舗装部と仮蓋を撤去する撤去工程と、蓋受枠を舗装表面と合致するようにマンホールに設置する蓋受枠設置工程と、前記蓋受枠の周囲に舗装補修材を充填して周囲の舗装と一体化する充填工程が実施される。
【０００４】
また、打換舗装工事の場合、道路に設置された既存のマンホールの蓋受枠と舗装を除去する既存物除去工程と、マンホールの開口を中心支持孔付きの仮蓋により閉塞する仮蓋設置工程と、前記仮蓋の上方を含んで路面を舗装する舗装工程と、舗装表面から前記仮蓋上の舗装層に前記中心支持孔に至る通孔を形成する通孔形成工程と、舗装表面から切断機でマンホール周囲の前記舗装層を円形に切断する切断工程と、少なくとも前記通孔を介して前記中心支持孔にリフト装置を連結することにより、前記切断された切断舗装部と仮蓋を撤去する撤去工程と、蓋受枠を舗装表面と合致するようにマンホールに設置する蓋受枠設置工程と、前記蓋受枠の周囲に舗装補修材を充填して周囲の舗装と一体化する充填工程が実施される。
【０００５】
切削オーバーレイ舗装工事の場合、道路に設置された既存のマンホールの周囲の舗装を切断して蓋受枠を除去する既存物除去工程と、マンホールの開口を中心支持孔付きの仮蓋により閉塞する仮蓋設置工程と、前記仮蓋の上方を仮舗装して既存の舗装と同一レベルにする仮舗装工程と、切削機で既存の舗装の表層と前記仮舗装の表面を切削する切削工程と、前記切削面の上にオーバーレイを舗装するオーバーレイ工程と、舗装表面から前記仮蓋上の舗装層に前記中心支持孔に至る通孔を形成する通孔形成工程と、舗装表面から切断機でマンホール周囲の前記舗装層を円形に切断する切断工程と、少なくとも前記通孔を介して前記中心支持孔にリフト装置を連結することにより、前記切断された切断舗装部と仮蓋を撤去する撤去工程と、蓋受枠を舗装表面と合致するようにマンホールに設置する蓋受枠設置工程と、前記蓋受枠の周囲に舗装補修材を充填して周囲の舗装と一体化する充填工程が実施される。
【先行技術文献】
【特許文献】
【０００６】
【特許文献１】特許第２６２３４９１号公報
【特許文献２】特許第２６２３４９２号公報
【発明の概要】
【発明が解決しようとする課題】
【０００７】
本出願人が提案した「後付工法」は、マンホールの開口を中心支持孔付きの仮蓋により閉塞し、仮蓋の上方を含んで舗装を施した後、舗装表面から切断機でマンホール周囲の舗装層を円形に切断し、切断された切断舗装部と共に仮蓋を撤去する工程が実施される。
【０００８】
前記撤去工程は、種々のリフト装置を使用することにより実施可能であるが、少なくとも、仮蓋を引き上げることにより、該仮蓋と切断舗装部を一挙に引き上げ撤去することが好ましい。
【０００９】
このため、上述のように、仮蓋に中心支持孔が設けられており、撤去に先立ち、舗装表面から仮蓋上の舗装層に前記中心支持孔に至る通孔を形成し、該通孔を介して前記中心支持孔にリフト装置を連結し、仮蓋を引き上げることにより円形切断された切断舗装部を撤去している。
【００１０】
ところで、前記通孔形成工程は、一般的にコアドリルを使用し、舗装層の表面から該舗装層の下方に埋入された仮蓋の中心支持孔に向けて、該舗装層を穿孔することにより行われている。
【００１１】
従って、作業者は、通孔を形成するために、時間と労力を伴う作業を強いられ、作業効率の点で改善すべき課題がある。
【００１２】
しかも、通常、仮蓋は、鉄製であるため、舗装層の表面から進入させたコアドリルが仮蓋に接すると、ドリル刃を破損する問題がある。このため、舗装層の表面から目視できない仮蓋に向けてコアドリルによる穿孔を行うことは、熟練した技能が要求され、この点でも改善すべき課題がある。
【００１３】
例えば、上述の切削オーバーレイ舗装工事について図面に基づき説明すると、図８（Ａ）に示すように、舗装工事前の道路は、路盤１に筒状のマンホール２を埋設しており、該マンホール２の上に支持手段３を介して蓋受枠４を設置し、該蓋受枠４に開閉蓋５を搭載している。路盤１には既存の舗装６が施されており、前記支持手段３及び蓋受枠４を舗装６に埋入している。尚、図示省略しているが、通常、舗装６は、基層及び表層のような複数層により形成されている。
【００１４】
先ず、路面からマンホール２の周囲の舗装６を切断し、切断された舗装部分と蓋受枠４が除去され（既存物除去工程）、図８（Ｂ）に示すように、マンホール６の上方に凹部７が形成される。
【００１５】
次いで、図８（Ｃ）に示すように、マンホール２の開口を仮蓋８により閉塞し（仮蓋設置工程）、該仮蓋８の上方を仮舗装する（仮舗装工程）。この際、仮舗装９は、既存の舗装６と同一レベルとなるように前記凹部７に充填される。その後、切削機で既存の舗装６の表層と前記仮舗装９の表面が所定厚さＴに相当して切削され（切削工程）、前記切削面の上にオーバーレイ１０が舗装される（オーバーレイ工程）。この状態で、道路は、一時的に交通開放が可能である。
【００１６】
マンホールを復旧するため、前記仮蓋８には、中心支持孔８ａが設けられている。そこで、図８（Ｄ）に示すように、コアドリル１１により、舗装表面から前記仮蓋３の上の舗装層（仮舗装９）に前記中心支持孔８ａに至る通孔１２が形成される（通孔形成工程）。
【００１７】
その後、図８（Ｅ）に示すように、舗装表面から切断機でマンホール周囲の前記舗装層を円形に切断し（切断工程）、切断された切断舗装部と仮蓋８が撤去される（撤去工程）。撤去のためには、種々の装置を使用することが可能であるが、少なくとも前記通孔１２を介して前記中心支持孔８ａにリフト装置（図例の場合、リフトアップバー１３）を連結し、仮蓋８が引き上げられる。
【００１８】
最後に、図８（Ｆ）に示すように、マンホール２の上に高さ調整可能な支持手段１４を介して蓋受枠４を舗装表面と合致するように設置し（蓋受枠設置工程）、該蓋受枠４の周囲に舗装補修材１５を充填することにより周囲の舗装と一体化し（充填工程）、該蓋受枠４に開閉蓋５を搭載することにより工事を完了し、交通開放される。尚、支持手段１４の具体的構成は、図例の他、種々のものが存在する。
【００１９】
上述のように、仮蓋８の撤去を可能にする通孔１２は、コアドリル１１を使用することにより、舗装層の表面から該舗装層の下方に埋入された仮蓋８の中心支持孔８ａに向けて、該舗装層を穿孔することにより形成している。この際、仮蓋８は、鉄製のため、コアドリル１１が仮蓋８に接触すると、ドリル刃を破損する問題がある。このため、作業に熟練した技能が求められる。また、アスファルト等から成る分厚い舗装層を手持ち式の電動コアドリル１１で穿孔する作業は、労力を伴い、労働条件の点において問題がある。
【００２０】
本発明は、上記の仮蓋撤去に関して、コアドリルの使用が不要であり、手持ちの治具等により簡単容易に通孔を形成することができるようにした方法及び装置を提供することを課題とする。
【課題を解決するための手段】
【００２１】
そこで、本発明の方法が手段として構成したところは、上述のような新設舗装工事、打換舗装工事、切削オーバーレイ舗装工事において、前記仮蓋設置工程は、前記舗装工程又は仮舗装工程で形成される舗装又は仮舗装の表面近傍に至る高さを有する柱状体を前記仮蓋の中心支持孔の上に立設する通孔準備工程を含み、前記通孔形成工程は、前記舗装工程又は仮舗装工程により前記舗装層に埋入された状態の柱状体を舗装表面から崩壊又は引抜くことにより通孔を形成する点にある。
【００２２】
切削オーバーレイ舗装工事に関する実施形態において、前記柱状体は、前記切削機で切削可能な素材により形成され、前記仮蓋に立設したとき、該柱状体の上端を前記仮舗装工程で形成される仮舗装の表面から深さＤだけ離間させた状態で設置される。
【００２３】
そして、本発明の装置が第１の手段として構成したところは、前記舗装工事における仮蓋の撤去方法に使用される装置であり、前記柱状体は、仮蓋の上に中心支持孔を囲んで立設される耐熱保形性及び耐圧保形性を有する筒体と、該筒体に充填される崩壊自在な充填材から成り、前記通孔形成工程において、舗装表面を崩壊することにより前記筒体の上端を露出させると共に、該筒体の上端開口から前記充填材を掻き取ることにより、該筒体の内部空間を介して前記通孔を形成するように構成されて成る点にある。
【００２４】
この際、前記筒体は、紙管により構成され、前記充填材は、発泡樹脂により構成されていることが好ましい。
【００２５】
また、本発明の装置が第２の手段として構成したところは、前記舗装工事における仮蓋の撤去方法に使用される装置であり、前記柱状体は、仮蓋の上に中心支持孔を囲んで立設される耐熱保形性及び耐圧保形性を有する筒体と、該筒体の上部開口を閉塞する除去自在なキャップ部材から成り、前記通孔形成工程において、舗装表面を崩壊することにより前記キャップを露出させると共に、該キャップを除去することにより、該筒体の内部空間を介して前記通孔を形成するように構成されて成る点にある。
【００２６】
更に、本発明の装置が第３の手段として構成したところは、前記舗装工事における仮蓋の撤去方法に使用される装置であり、前記柱状体は、耐熱保形性及び耐圧保形性を有する円柱部材から成り、前記通孔形成工程において、舗装表面を崩壊することにより前記円柱部材の上端部を露出させると共に、該円柱部材を引抜くことにより前記通孔を形成するように構成されて成る点にある。
【発明の効果】
【００２７】
本発明によれば、予め仮蓋設置工程において仮蓋２３の中心支持孔２３ａの上に柱状体２４を立設する構成であるから、その後、舗装工程により形成される舗装２５（新設舗装工事及び打換細工事の場合）又は仮舗装工程により形成される仮舗装３５（切削オーバーレイ舗装工事の場合）には、該舗装２５又は仮舗装３５の表層近傍から中心支持孔２３ａに至り前記柱状体２４が埋入された状態となる。
【００２８】
従って、通孔形成工程において、従来のようにコアドリルを使用することは必要でなく、簡易な治具により、前記舗装２５又は仮舗装３５の舗装表面を崩壊することにより柱状体２４の上端部を露出させ、該舗装表面から該柱状体２４を崩壊又は引抜くことにより、簡単容易に通孔２６を形成することができるという優れた効果がある。
【図面の簡単な説明】
【００２９】
【図１】新設舗装工事に実施される本発明方法の１実施形態を工程順に示す断面図である。
【図２】打換舗装工事に実施される本発明方法の１実施形態を工程順に示す断面図である。
【図３】切削オーバーレイ舗装工事に実施される本発明方法の１実施形態を工程順に示す断面図である。
【図４】本発明装置の第１実施形態を示しており、（Ａ）は柱状体の斜視図、（Ｂ）は仮蓋設置工程を示す断面図、（Ｃ）は舗装工程を示す断面図、（Ｄ）は通孔形成工程を示す断面図である。
【図５】本発明装置の第２実施形態を示しており、（Ａ）は柱状体の斜視図、（Ｂ）は仮蓋設置工程を示す断面図、（Ｃ）は舗装工程を示す断面図、（Ｄ）は通孔形成工程を示す断面図である。
【図６】本発明装置の第３実施形態を示しており、（Ａ）は柱状体の斜視図、（Ｂ）は仮蓋設置工程を示す断面図、（Ｃ）は舗装工程を示す断面図、（Ｄ）は通孔形成工程を示す断面図である。
【図７】本発明装置の第４実施形態を示しており、（Ａ）は柱状体の斜視図、（Ｂ）は仮蓋設置工程を示す断面図、（Ｃ）は舗装工程を示す断面図、（Ｄ）は通孔形成工程を示す断面図である。
【図８】従来技術に関する切削オーバーレイ舗装工事を工程順に示す断面図である。
【発明を実施するための形態】
【００３０】
以下図面に基づいて本発明の好ましい実施形態を詳述する。
【００３１】
＜新設舗装工事＞
図１は、本発明装置を使用することにより本発明方法を実施する新設舗装工事を工程順に示している。
【００３２】
（舗装工事前）
図１（Ａ）に示すように、舗装工事前の道路は、路盤２１に筒状のマンホール２２を埋設しており、該マンホール２２の上部を開口している。
【００３３】
（仮蓋設置工程）
図１（Ｂ）に示すように、前記マンホール２２の開口は、鉄製その他の金属製の仮蓋２３により閉塞される（仮蓋設置工程）。仮蓋２３は、後に撤去するために使用する中心支持孔２３aを設けている。
【００３４】
（通孔準備工程）
前記仮蓋設置工程は、後に通孔を形成するために、後述する舗装工程で形成される舗装２５（図１（Ｃ）参照）の表面近傍に至る高さを有する柱状体２４を前記仮蓋２３の中心支持孔２３ａの上に立設する通孔準備工程を含んでいる。柱状体２４の具体的構成については後述する。
【００３５】
（舗装工程）
図１（Ｃ）に示すように、路盤２１の上には、前記仮蓋２３の上方を含んで路面が舗装される（舗装工程）。アスファルト等により成層された舗装２５は、通常、基層及び表層のような複数層により形成され、前記仮蓋２３と共に柱状体２４を埋入する。この状態で、舗装道路は、一時的に交通開放が可能であり、柱状体２４は、舗装表面から突出しないように埋入されていることが好ましい。
【００３６】
（通孔形成工程）
図１（Ｄ）に示すように、前記仮蓋２３を撤去するため、舗装表面から仮蓋２３の中心支持孔２３ａに至る通孔２６が形成される（通孔形成工程）。通孔２６は、舗装２５に埋入された状態の柱状体２４を舗装表面から崩壊又は引抜くことにより、簡単容易に形成される。従って、コアドリルは、使用しない。
【００３７】
（切断工程及び撤去工程）
舗装表面から切断機でマンホール周囲の前記舗装層２５を円形に切断し（切断工程）、その後、図１（Ｅ）に示すように、少なくとも前記通孔２６を介して前記中心支持孔２３ａにリフト装置２７を連結することにより、前記切断された切断舗装部Ｐと仮蓋２３を撤去する（撤去工程）。撤去は、種々の装置を使用することが可能であるが、少なくとも前記通孔２６を介して前記中心支持孔２３ａにリフト装置２７（図例の場合、リフトアップバー）を連結し、仮蓋２３を引き上げることにより行われる。
【００３８】
（蓋受枠設置工程及び充填工程）
最後に、図１（Ｆ）に示すように、マンホール２の２上に高さ調整可能な支持手段２８を介して蓋受枠２９を舗装表面と合致するように設置し（蓋受枠設置工程）、該蓋受枠２９の周囲に舗装補修材３０を充填して周囲の舗装と一体化し（充填工程）、該蓋受枠２９に開閉蓋３１を搭載することにより工事を完了し、交通開放される。尚、支持手段１４の構成は、本発明の目的でないので、図面に詳細を省略しているが、種々の構成が採用可能であることを諒解されたい。
【００３９】
＜打換舗装工事＞
図２は、本発明装置を使用することにより本発明方法を実施する打換舗装工事を工程順に示している。
【００４０】
（舗装工事前）
図２（Ａ）に示すように、舗装工事前の道路は、路盤２１に筒状のマンホール２２を埋設しており、該マンホール２２の上に支持手段３２を介して蓋受枠２９を設置し、該蓋受枠２９に開閉蓋３１を搭載している。路盤２１には既存の舗装３３が施されており、前記支持手段３２及び蓋受枠２９を舗装３３に埋入している。
【００４１】
（既存物除去工程）
打換舗装のため、前記マンホール２２を残して、路盤２１が露出するように、既存の舗装３３が除去され、支持手段３２を含んで蓋受枠２９が除去される（既存物除去工程）。
【００４２】
（仮蓋設置工程）
図２（Ｂ）に示すように、前記マンホール２２の開口は、鉄製その他の金属製の仮蓋２３により閉塞される（仮蓋設置工程）。仮蓋２３は、後に撤去するために使用する中心支持孔２３aを設けている。
【００４３】
（通孔準備工程）
前記仮蓋設置工程は、後に通孔を形成するために、後述する舗装工程で形成される舗装２５（図２（Ｃ）参照）の表面近傍に至る高さを有する柱状体２４を前記仮蓋２３の中心支持孔２３ａの上に立設する通孔準備工程を含んでいる。柱状体２４の具体的構成については後述する。
【００４４】
（舗装工程）
図２（Ｃ）に示すように、路盤２１の上には、前記仮蓋２３の上方を含んで路面が舗装される（舗装工程）。アスファルト等により成層された舗装２５は、通常、基層及び表層のような複数層により形成され、前記仮蓋２３と共に柱状体２４を埋入する。この状態で、舗装道路は、一時的に交通開放が可能であり、その際、柱状体２４は、舗装表面から突出しないように埋入されていることが好ましい。
【００４５】
（通孔形成工程）
図２（Ｄ）に示すように、前記仮蓋２３を撤去するため、舗装表面から仮蓋２３の中心支持孔２３ａに至る通孔２６が形成される（通孔形成工程）。通孔２６は、舗装２５に埋入された状態の柱状体２４を舗装表面から崩壊又は引抜くことにより、簡単容易に形成される。従って、コアドリルは、使用しない。
【００４６】
（切断工程及び撤去工程）
舗装表面から切断機でマンホール周囲の前記舗装層２５を円形に切断し（切断工程）、その後、図２（Ｅ）に示すように、少なくとも前記通孔２６を介して前記中心支持孔２３ａにリフト装置２７を連結することにより、前記切断された切断舗装部Ｐと仮蓋２３を撤去する（撤去工程）。撤去は、種々の装置を使用することが可能であるが、少なくとも前記通孔２６を介して前記中心支持孔２３ａにリフト装置２７（図例の場合、リフトアップバー）を連結し、仮蓋２３を引き上げることにより行われる。
【００４７】
（蓋受枠設置工程及び充填工程）
最後に、図２（Ｆ）に示すように、マンホール２２の上に高さ調整可能な支持手段２８を介して蓋受枠２９を舗装表面と合致するように設置し（蓋受枠設置工程）、該蓋受枠２９の周囲に舗装補修材３０を充填して周囲の舗装と一体化し（充填工程）、該蓋受枠２９に開閉蓋３１を搭載することにより工事を完了し、交通開放される。蓋受枠２９及び開閉蓋３１は、図２（Ａ）に示す既存物を撤去後に再利用することが好ましいが、新たなものを使用しても良い。尚、支持手段１４の構成は、本発明の目的でないので、図面に詳細を省略しているが、種々の構成が採用可能であることを諒解されたい。
【００４８】
＜切削オーバーレイ舗装工事＞
図３は、本発明装置を使用することにより本発明方法を実施する切削オーバーレイ舗装工事を工程順に示している。
【００４９】
（舗装工事前）
図３（Ａ）に示すように、舗装工事前の道路は、路盤２１に筒状のマンホール２２を埋設しており、該マンホール２２の上に支持手段３２を介して蓋受枠２９を設置し、該蓋受枠２９に開閉蓋３１を搭載している。路盤２１には既存の舗装３３が施されており、前記支持手段３２及び蓋受枠２９を舗装３３に埋入している。
【００５０】
（既存物除去工程）
路面からマンホール２２の周囲の舗装３３を切断し、切断された舗装部分と、支持手段３２を含んで蓋受枠２９が除去される（既存物除去工程）。従って、マンホール２２の上方に、図３（Ｂ）に示すような凹部３４が形成される。
【００５１】
（仮蓋設置工程）
図３（Ｂ）に示すように、前記マンホール２２の開口は、鉄製その他の金属製の仮蓋２３により閉塞される（仮蓋設置工程）。仮蓋２３は、後に撤去するために使用する中心支持孔２３aを設けている。
【００５２】
（通孔準備工程）
前記仮蓋設置工程は、後に通孔を形成するために、後述する仮舗装工程で形成される仮舗装３５（図３（Ｃ）参照）の表面近傍に至る高さを有する柱状体２４を前記仮蓋２３の中心支持孔２３ａの上に立設する通孔準備工程を含んでいる。柱状体２４の具体的構成については後述する。
【００５３】
（仮舗装工程）
図３（Ｃ）に示すように、仮蓋２３の上方が仮舗装される（仮舗装工程）。仮舗装３５は、既存の舗装３３と同一レベルとなるように前記凹部３４に充填される。その際、柱状体２４は、仮舗装３５の表面から突出しないように埋入されていることが好ましい。
【００５４】
（切削工程及びオーバーレイ工程）
その後、切削機で既存の舗装３３の表層と前記仮舗装３５の表面が所定厚さＴに相当して切削され（切削工程）、前記切削面の上にオーバーレイ３６が舗装される（オーバーレイ工程）。従って、道路は、一時的に交通開放が可能である。尚、前記切削の所定厚さＴは、通常５０ｍｍ程度とされ、その上に舗装されるオーバーレイ３６の表面は、既設のＧＬ（グラウンドレベル）よりも若干高くされる場合と、同一高さとされる場合と、若干低くされる場合との３つの態様がある。
【００５５】
（通孔形成工程）
図３（Ｄ）に示すように、前記仮蓋２３を撤去するため、舗装表面から仮蓋２３の中心支持孔２３ａに至る通孔２６が形成される（通孔形成工程）。通孔２６は、仮舗装３５及びオーバーレイ３６に埋入された状態の柱状体２４を舗装表面から崩壊又は引抜くことにより、簡単容易に形成される。従って、コアドリルは、使用しない。
【００５６】
（切断工程及び撤去工程）
舗装表面から切断機でマンホール周囲の前記舗装層を円形に切断し（切断工程）、その後、図３（Ｅ）に示すように、少なくとも前記通孔２６を介して前記中心支持孔２３ａにリフト装置２７を連結することにより、前記切断された切断舗装部Ｐと仮蓋２３を撤去する（撤去工程）。撤去は、種々の装置を使用することが可能であるが、少なくとも前記通孔２６を介して前記中心支持孔２３ａにリフト装置２７（図例の場合、リフトアップバー）を連結し、仮蓋２３を引き上げることにより行われる。
【００５７】
（蓋受枠設置工程及び充填工程）
最後に、図３（Ｆ）に示すように、マンホール２２の上に高さ調整可能な支持手段２８を介して蓋受枠２９を舗装表面と合致するように設置し（蓋受枠設置工程）、該蓋受枠２９の周囲に舗装補修材３０を充填して周囲の舗装と一体化し（充填工程）、該蓋受枠２９に開閉蓋３１を搭載することにより工事を完了し、交通開放される。蓋受枠２９及び開閉蓋３１は、図３（Ａ）に示す既存物を撤去後に再利用することが好ましいが、新たなものを使用しても良い。尚、支持手段１４の構成は、本発明の目的でないので、図面に詳細を省略しているが、種々の構成が採用可能であることを諒解されたい。
【００５８】
＜装置の実施形態＞
以下、前記柱状体２４の実施形態に関して、図４に示す第１実施形態と、図５に示す第２実施形態と、図６に示す第３実施形態と、図７に示す第４実施形態をそれぞれ説明する。
【００５９】
図４ないし図７は、柱状体２４の各実施形態に関して、切削オーバーレイ工事を例示しているが、柱状体２４は、同様に、新設舗装工事及び打換舗装工事にも利用可能であることを理解されたい。
【００６０】
＜第１実施形態＞
図４に示す第１実施形態において、柱状体２４は、耐熱保形性及び耐圧保形性と切削容易性を有する筒体３７と、該筒体３７に充填される崩壊自在な充填材３８により構成されている。
【００６１】
この際、前記の「耐熱保形性」とは、高温のアスファルト合材により仮舗装３５及びオーバーレイ３６（新設舗装工事及び打換舗装工事の場合は舗装２５）が実施されるとき、例えば、塩ビ管等のように容易に熱変形するものではないという意味であり、熱に耐え保形性を持続する材質の特性を意味している。
【００６２】
また、前記の「耐圧保形性」とは、仮舗装３５及びオーバーレイ３６（新設舗装工事及び打換舗装工事の場合は舗装２５）の上から転圧が実施されるとき、容易に座屈変形するものではないという意味であり、圧力に耐え保形性を持続する材質の特性を意味している。
【００６３】
また、前記の「切削容易性」とは、切削機により仮舗装３５の表面が切削される際、もしも、筒体３７の上端が切削機の切削刃に接触する場合でも、該切削機により筒体３７が埋入状態から引抜かれることはないという意味であり、埋入状態を保持しつつ切削機により切削される材質の特性を意味している。
【００６４】
更に、前記の「崩壊自在」とは、金属製の治具（例えば、バールの先端等）により、容易に崩壊し、掻き取ることができる材質の特性を意味している。
【００６５】
前記の耐熱保形性及び耐圧保形性と切削容易性の条件に適合させるため、筒体３７は、紙管３７ａにより形成されている。
【００６６】
従って、図４（Ａ）に示すように、紙管３７aを切断することにより、所定長さＬの筒体３７が形成される。この際、前記所定長さＬは、図４（Ｂ）に示すように、筒体３７を仮蓋２３の上に立設したとき、該筒体３７の上端が舗装２５の表面よりも所定深さＤの部分に位置する長さとなるように設定されている。
【００６７】
図４（Ｂ）に示すように、仮蓋設置工程において、紙管３７ａから成る筒体３７を仮蓋２３の中心支持孔２３ａを囲むようにして立設すると共に、該筒体３７の内部に崩壊自在な充填材３８を充填することにより、通孔準備工程が実施される。
【００６８】
充填材３８は、発泡樹脂３８ａにより構成することが好ましく、例えば、建築用断熱材として市販されているスプレー式の発泡ウレタンを使用することが可能であり、ポリジフェニルメタンジイソシアネート系プレンポリマーを主剤とするスプレー缶の場合、噴出の前後及び噴出中に霧吹き等で水を吹きかけながら細い棒で撹拌することにより、膨張しながら好適に発泡する。尚、本発明の充填材３８がこのような発泡樹脂３８ａに限定されないことは勿論であり、要するに、後述のように、電動工具等を使用することなく、治具等により手動で崩壊することにより掻き出すことが可能な材質のものであれば良い。
【００６９】
その後、図４（Ｃ）に示すように、仮舗装３５が行われ（仮舗装工程）、切削機で既存の舗装３３の表層と仮舗装３５の表面が所定厚さＴに相当して切削される（切削工程）。
【００７０】
仮舗装に際して、筒体３７は、上述のように、耐熱保形系と耐圧保形性を備えているので、筒状の形状を好適に保持する。
【００７１】
切削に際して、筒体３７の上端の所定深さＤは、図示のように、Ｄ＞Ｔとなるように設定されていることが好ましく、これにより、切削機の切削刃が筒体３７の上端に接触することはない。しかも、もしも、切削刃が筒体３７の上端に接触した場合でも、筒体３７は、上述のように、切削容易性を備えているので、切削刃により切削される。つまり、切削刃により筒体３７が埋入状態から引抜かれることはなく、埋入状態を保持する。
【００７２】
その後、オーバーレイ３６が舗装された後、図４（Ｄ）に示すように通孔形成工程が実施される。通孔２６を形成する際、作業者は、手持ちの治具（例えばバール等）により、筒体３７の上の薄いオーバーレイ３６を含む舗装層を破壊しつつ剥離させ、該筒体３７の上端を露出させた後、該筒体３７の内部の充填材３８を崩壊しつつ掻き出せば良い。
【００７３】
これにより、充填材３８が掻き出された筒体３７の内部の空洞部により、舗装面から仮蓋２３の中心支持孔２３ａに至る通孔２６が形成される。
【００７４】
＜第２実施形態＞
図５に示す第２実施形態において、柱状体２４は、耐熱保形性及び耐圧保形性と切削容易性を有する筒体３７と、該筒体３７に充填される崩壊自在な充填材３８により構成され、筒体３７を紙管３７ａにより形成し、充填材３８を発泡樹脂により形成しており、これらの点は、上記第１実施形態と同様である。
【００７５】
第２実施形態の筒体３７は、図５（Ａ）に示すように、軸方向に所定間隔をあけて周溝３９を形成することにより折損自在に構成されている。周溝３９は、間隔を密にして連続的に形成されている。
【００７６】
従って、第２実施形態の場合、現場において長い紙管３７ａを簡単に折り切断することにより、容易に所定長さＬの筒体３７を形成できる利点がある。
【００７７】
しかも、図５（Ｃ）に示すように、既存の舗装３３の表層と仮舗装３５の表面が切削機により切削されるとき、もしも、切削刃が筒体３７の上端に接触した場合でも、筒体３７は、上述のような切削容易性により切削されるだけでなく、周溝３７により折損容易なため、接触する刃に追従して折損片３９ｐを分離させるので、切削刃により筒体３７が埋入状態から引抜かれることはなく、埋入状態を確実に保持するという利点がある。
【００７８】
＜第３実施形態＞
図６に示す第２実施形態において、柱状体２４は、耐熱保形性及び耐圧保形性と切削容易性を有する所定長さＬの筒体３７と、該筒体３７の上部開口を閉塞する崩壊自在なキャップ部材４０により構成されている。
【００７９】
筒体３７は、紙管３７ａにより形成することが好ましい。また、キャップ部材４０は、崩壊容易性の他、耐熱保形性及び耐圧保形性と切削容易性を有する紙材により形成することが好ましい。
【００８０】
従って、第３実施形態の場合、図６（Ｄ）に示す通孔形成工程において、通孔２６を形成する際、作業者は、手持ちの治具（例えばバール等）により、柱状体２４の上の薄いオーバーレイ３６を含む舗装層を破壊しつつ剥離させ、筒体３７の上端を露出させた後、前記キャップ部材４０を崩壊すれば良い。図例の場合、キャップ部材４０を破壊しているが、筒体３７からキャップ部材４０を取外しても良い。従って、前記の「除去自在」とは、破壊と取外しの両方の意味を含んでいる。
【００８１】
これにより筒体３７の内部の空洞部により、舗装面から仮蓋２３の中心支持孔２３ａに至る通孔２６が形成される。
【００８２】
＜第４実施形態＞
図７に示す第４実施形態において、柱状体２４は、耐熱保形性及び耐圧保形性と切削容易性を有する所定長さＬの円柱部材４１により構成されている。
【００８３】
例えば、円柱部材４１は、例えば、所定の弾性硬度を有するゴムにより成形することが可能であり、これによれば、耐熱保形性及び耐圧保形性と切削容易性を備えることができ、この場合、底部に嵌合突起４１ａを一体成形することが可能である。
【００８４】
従って、図７（Ｂ）に示すように、仮蓋設置工程において、前記嵌合突起４１ａを中心支持孔２３ａに嵌入することにより円柱部材４１を仮蓋２３に立設することにより、通孔準備工程が実施される。
【００８５】
その後、図７（Ｃ）に示すように、仮舗装３５が行われ（仮舗装工程）、切削機で既存の舗装３３の表層と仮舗装３５の表面が所定厚さＴに相当して切削される（切削工程）。
【００８６】
仮舗装に際して、円柱部材４１は、上述のように、耐熱保形系と耐圧保形性を備えているので、円柱状の形状を好適に保持する。
【００８７】
切削に際して、もしも、切削機の切削刃が円柱部材４１の上端に接触した場合でも、ゴム製等の円柱部材４１は、切削刃により切削され、従って、切削刃により円柱部材４１が埋入状態から引抜かれることはなく、埋入状態を保持する。
【００８８】
その後、オーバーレイ３６が舗装された後、図７（Ｄ）に示すように通孔形成工程が実施される。通孔２６を形成する際、作業者は、手持ちの治具（例えばバール等）により、円柱部材４１の上の薄いオーバーレイ３６を含む舗装層を破壊しつつ剥離させ、該円柱部材４１の上端を露出させた後、該円柱部材４１を舗装層から引抜けば良い。
【００８９】
これにより、円柱部材４１が引抜かれた空洞部により、舗装面から仮蓋２３の中心支持孔２３ａに至る通孔２６が形成される。
【符号の説明】
【００９０】
２１  路盤
２２  マンホール
２３  仮蓋
２３ａ  中心支持孔
２４  柱状体
２５  舗装
２６  通孔
２７  リフト装置
２８  支持手段
２９  蓋受枠
３０  舗装補修材
３１  開閉蓋
３２  既存の支持手段
３３  既存の舗装
３４  凹部
３５  仮舗装
３６  オーバーレイ
３７  筒体
３７ａ  紙管
３８  充填材
３９  周溝
３９ｐ  折損片
４０  キャップ部材
４１  円柱部材
４１ａ  嵌合突起
【図１】
2016003484.tif 000003
【図２】
2016003484.tif 000004
【図３】
2016003484.tif 000005
【図４】
2016003484.tif 000006
【図５】
2016003484.tif 000007
【図６】
2016003484.tif 000008
【図７】
2016003484.tif 000009
【図８】
2016003484.tif 000010